(57)【要約】  本発明は、フック、マッシュルームの頭部、またはループのような複数の開閉要素（２、１０２、２０２、３０２、３０２ａ）を備えた開閉メカニズム（１、１０１、２０１、３０１）に関する。その開閉メカニズム（１、１０１、２０１、３０１）は平らなキャリヤ（３、１０３、２０３、３０３）とそのキャリヤ（３、１０３、２０３、３０３）の少なくとも１つの表面（４）から突出した開閉要素（２、１０２、２０２、３０２、３０２ａ）を有している。本発明の開閉メカニズム（１、１０１、２０１、３０１）は、供給されたエネルギーを熱に変える加熱手段（５、１０５、２０５、３０５）を少なくともある部分に有することを特徴としている。本発明は、また、その製造方法に関する。
2007519442.tif 000002
【特許請求の範囲】
【請求項１】
例えば、フック、マッシュルームの頭部、またはループのような複数の開閉要素（２、１０２、２０２、３０２、３０２ａ）を備えた開閉メカニズム（１、１０１、２０１、３０１）であって、
その開閉メカニズム（１、１０１、２０１、３０１）は平らなキャリヤ（３、１０３、２０３、３０３）とそのキャリヤ（３、１０３、２０３、３０３）の少なくとも１つの表面（４）から突出した開閉要素（２、１０２、２０２、３０２、３０２ａ）とを有し、    その開閉メカニズム（１、１０１、２０１、３０１）は、供給されたエネルギーを熱に変える加熱手段（５、１０５、２０５、３０５）を少なくともある部分に有することを特徴とする開閉メカニズム。
【請求項２】
加熱手段（５、１０５、２０５、３０５）は、供給された電気エネルギーを熱に変えるものであり、特に、加熱手段（５、１０５、２０５、３０５）は抵抗加熱器である請求項１記載の粘着性締結部品（１、１０１、２０１、３０１）。
【請求項３】
加熱手段（５、１０５、２０５、３０５）は、平らなキャリヤ（３、１０３、２０３、３０３）に対して、厚いフィルムまたは薄いフィルムとして取り付けられる請求項１または２記載の粘着性締結部品（１、１０１、２０１、３０１）。
【請求項４】
加熱手段（５、１０５、２０５、３０５）は、平らなキャリヤ（３、１０３、２０３、３０３）に対して、スクリーン印刷またはオフセット印刷によって取り付けられる請求項１ないし３のいずれか１項に記載の粘着性締結部品（１、１０１、２０１、３０１）。
【請求項５】
キャリヤ（３、１０３、２０３、３０３）は、加熱手段（５、１０５、２０５、３０５）と電気的接触をするために、導電経路（１１５、１２０）および／又は端子電極（１５、１６）を有する請求項１ないし４のいずれか１項に記載の粘着性締結部品（１、１０１、２０１、３０１）。
【請求項６】
加熱手段（５、１０５、２０５、３０５）は、粘着性締結部品（１、１０１、２０１、３０１）の平らなキャリヤ（３、１０３、２０３、３０３）に積層される別のキャリヤに取り付けられる請求項１ないし５のいずれか１項に記載の粘着性締結部品（１、１０１、２０１、３０１）。
【請求項７】
粘着性締結要素（２、１０２、２０２、３０２、３０２ａ）は、平らなキャリヤ（３、１０３、２０３、３０３）と一体である請求項１ないし６のいずれか１項に記載の粘着性締結部品（１、１０１、２０１、３０１）。
【請求項８】
粘着性締結要素（２、１０２、２０２、３０２、３０２ａ）と平らなキャリヤ（３、１０３、２０３、３０３）は、熱可塑性材料の成形によって製造される請求項１ないし７のいずれか１項に記載の粘着性締結部品（１、１０１、２０１、３０１）。
【請求項９】
キャリヤ（３、１０３、２０３、３０３）および／又は粘着性締結要素（２、１０２、２０２、３０２、３０２ａ）は、ポリマープラスチックであるか若しくはポリマープラスチックから製造され、特に、デュロプラスチック、例えば、アクリル樹脂から製造され、または、熱可塑性樹脂、例えば、ポリエステルもしくはポリアミドから製造される請求項１ないし８のいずれか１項に記載の粘着性締結部品（１、１０１、２０１、３０１）。
【請求項１０】
キャリヤ（３、１０３、２０３、３０３）は繊維製品であり、特に、キャリヤ（３、１０３、２０３、３０３）は織ること、編むこと、撚り合わせること、又は刺繍によって製造される請求項１ないし７のいずれか１項に記載の粘着性締結部品（１、１０１、２０１、３０１）。
【請求項１１】
加熱手段（５、１０５、２０５、３０５）は繊維のキャリヤの２プライの間に位置する請求項１０記載の粘着性締結部品（１、１０１、２０１、３０１）。
【請求項１２】
粘着性締結部品（１、１０１、２０１、３０１）は、さらにエネルギー貯蔵器具、特に、厚いフィルムまたは薄いフィルムの形態である電気化学エネルギー貯蔵器具を有する請求項１ないし１１のいずれか１項に記載の粘着性締結部品（１、１０１、２０１、３０１）。
【請求項１３】
例えば、フック、マッシュルームの頭部、またはループのような複数の粘着性締結要素（２、１０２、２０２、３０２、３０２ａ）を備えた粘着性締結部品（１、１０１、２０１、３０１）を製造するための方法であって、
その粘着性締結部品（１、１０１、２０１、３０１）は平らなキャリヤ（３、１０３、２０３、３０３）とそのキャリヤ（３、１０３、２０３、３０３）の少なくとも１つの表面（４）から突出した粘着性締結要素（２、１０２、２０２、３０２、３０２ａ）とを有し、その粘着性締結部品（１、１０１、２０１、３０１）は、供給されたエネルギーを熱に変える加熱手段（５、１０５、２０５、３０５）を少なくともある部分に有し、
その加熱手段（５、１０５、２０５、３０５）はすでに粘着性締結要素（２、１０２、２０２、３０２、３０２ａ）を有するキャリヤ（３、１０３、２０３、３０３）に取り付けられることを特徴とする方法。
【請求項１４】
加熱手段（５、１０５、２０５、３０５）は、平らなキャリヤ（３、１０３、２０３、３０３）に対して、厚いフィルムまたは薄いフィルムとして取り付けられ、特に、印刷される請求項１３記載の方法。
【請求項１５】
粘着性締結要素（２、１０２、２０２、３０２、３０２ａ）を有するキャリヤ（３、１０３、２０３、３０３）に加熱手段（５、１０５、２０５、３０５）を取り付ける前に、取り付けられる加熱手段（５、１０５、２０５、３０５）の接着性を改善するための表面処理がキャリヤ（３、１０３、２０３、３０３）に施される請求項１３または１４記載の方法。
【発明の詳細な説明】
【技術分野】
【０００１】
本発明は、加熱手段を有する開閉メカニズム、及びそのような開閉メカニズムの製造方法に関する。
【背景技術】
【０００２】
一般的な粘着性締結部品は、DE 196 46 318 A1において知られている。互いに動的に結合することができる２つの粘着性締結部品から形成される粘着性締結器具は、しばしば織物または他の衣類に使用されており、登録商標Velcroファスナーとして知られている。他の適用例は、例えば、装着手段、例えば、自動車の内装の締結要素、または、取り外すことができる締結器具製品である。
【発明の開示】
【発明が解決しようとする課題】
【０００３】
本発明の目的は、粘着性締結部品および粘着性締結器具の機能を増加することと、そのような粘着性締結部品に対する適切な製造プロセスを提供することにある。
【課題を解決するための手段】
【０００４】
この目的は、請求項１記載の粘着性締結部品および下位の請求項に記載の製造プロセスによって達成される。本発明の特別のバージョンは従属形式請求項に記載されている。
【発明を実施するための最良の形態】
【０００５】
例えば、本発明の目的は、フック、マッシュルームの頭部、またはループのような複数の粘着性締結要素を備えた粘着性締結部品において、その粘着性締結部品は平らなキャリヤとそのキャリヤの少なくとも１つの表面から突出した粘着性締結要素とを有し、その粘着性締結部品が、供給されたエネルギーを熱に変える加熱手段を少なくともある部分に有することによって達成される。
【０００６】
好ましくは、加熱手段は、平らな抵抗加熱器としてキャリヤに取り付けられる。さらに、実際の抵抗層に加えて、電極層、カバー層、熱放射に対する反射層、保護層などをキャリヤに取り付けることができる。加熱層は、被覆されてもよいし、被覆されなくてもよく、特に、抵抗路、好ましくは曲がりくねった抵抗路の形態のものによって被覆される。お互いに電気的に絶縁されているいくつかの抵抗路および／又は接続路を、互いの先端部および／又は互いに隣接する位置に取り付けることができる。
【０００７】
粘着性締結部品は、弾性的または塑性的に容易に変形できることが好ましく、ほとんど如何なる形状にも成形しうることが好ましい。粘着性締結部品は、その粘着機能と加熱機能を保持しながら、深絞り成形できることが好ましい。基本的に、加熱手段はキャリヤ上および／又はキャリヤ内に配置することができる。加熱手段は、粘着性締結部品の平らなキャリヤに対して、厚いフィルムまたは薄いフィルムとして取り付けられることが好ましい。また、加熱手段は粘着性締結部品の平らなキャリヤに結合される別のキャリヤ、特に、その平らなキャリヤに積層した別のキャリヤに取り付けられる。
【０００８】
本発明の請求の範囲に記載された粘着性締結要素および加熱手段の組み合わせは有利である。というのは、抵抗路の熱膨張および／又は加熱手段の他の層の熱膨張および／又は加熱手段の作動において起こるキャリヤの熱膨張は、粘着性締結部品の取り付けに悪影響を与えることなく、または、その取り付けが緩むことによってばたばたという騒音が起こることもなく、粘着性締結要素によって調整することができるからである。さらに、粘着性締結要素は、加熱手段を平らに接続することを可能にするものであることが好ましい。このように、特に熱消費材に対する良好な熱伝導が達成される。キャリヤを備えた加熱手段は、加熱手段と粘着性締結要素を別々に接続しなくてもよいようなユニットを形成する。
【０００９】
基本的に、厚いフィルムまたは薄いフイルムの製造において知られているすべてのプロセスは、粘着性締結部品のキャリヤに対する加熱手段の取り付けに利用することができる。本発明の一実施形態において、加熱手段は、スクリーン印刷またはオフセット印刷によって平らなキャリヤに取り付けられる。加熱手段の取り付けとともに、印刷された導電体、端子電極、または他の電気部品および／又は電子部品を同時に製造することができる。
【００１０】
粘着性締結部品の平らなキャリヤの材料は、例えば、少なくともある部分において半導体であるポリマープラスチックまたは繊維材料からなり、例えば、電解効果を利用したトランジスターのような電子部品を粘着性締結部品に一体に組み込むことができる。ハイブリッド電子回路を一体に組み込むことができ、例えば、５０μｍより薄く、好ましくは２０μｍより薄くて可撓性のあるシリコン基板上、キャリヤ上もしくはキャリヤ内に制御回路を固定することができ、それらを繊維のキャリヤに組み入れることができる。このように、加熱手段の作動のためにしばしば必要である温度測定要素、サーモスタットおよび／又はスイッチなどを一体に組み込むことができる。
【００１１】
電力は外部のエネルギー貯蔵器具によって供給することができる。粘着性締結部品は、エネルギー貯蔵器具、特に、薄いフィルムまたは厚いフィルムの形態をした電気化学エネルギー貯蔵器具を備えることができる。
【００１２】
キャリヤおよび／又は粘着性締結要素は、ポリマープラスチック、特に、ポリエステルもしくはポリアミドから製造されるのが好ましく、熱安定性に対するそれほど厳しくはない要求のために、例えば、ポリプロピレンもしくはポリエチレンのようなポリオレフィンから製造されるのが好ましく、また、腐敗して土に還元できる材料もしくは他の適当な材料から製造されるのが好ましい。プラスチックが、デュロプラスチック、例えば、アクリル樹脂であれば、多くの用途に対して好都合である。この場合、架橋は、付加されるエネルギーの量、特に、熱の放射および／又は熱の供給によって制御することができる。また、デュロプラスチックに代えて、プラスチックを熱可塑的に成形することができる。DE 196 46 318 A1に準じた方法は粘着性締結要素を製造するために使用することができる。粘着性締結要素はキャリヤと一体であることが好ましい。粘着性締結要素はDE 101 06 705 C1 に記載されているように製造することができる。特に、粘着性締結要素は連続する小滴として形成される。
【００１３】
本発明の一実施形態において、ほとんど如何なる形状の加熱システムでも、近づきにくい位置に、形状の自由度は大きいが空間を節約するような方法で、必要ならば取り外すことができるように容易に装着することができる。例えば、このようにして簡単に装着することができるシート、鏡、インテリア、または曇り除去加熱システムなどを、自動車、居間、または戸外の設備などにおいて実現することができる。
【００１４】
さらに、本発明の請求の範囲に記載されているように、加熱システムは、例えば、機械式機構、空圧式機構、油圧式機構、電気および電子機構によって実行することができる。加熱エネルギーは、その機構によってピンポイントで必要な場所に正確に供給することができ、その機構はほとんど如何なる形状も自由にとることができる。この目的のために、その用途に適合した加熱手段は、例えば、成分、厚み又は抵抗層の横方向の形状の変化の結果として、抵抗を局部的に変化させることによって、表面において一様でないように熱を生成することができる。
【００１５】
本発明の請求の範囲に記載された器具は、薄くて軽量であり、熱の生成量および／又は熱の分布を制御することができ、防爆加熱体を提供する。粘着性締結部品との組み合わせに基づいて、二次元および三次元形状の物体は良好な耐久性および信頼性の下で一様な熱分布または限定的な熱分布が得られる。潜在的な寿命は、公知の加熱手段、特に、加熱ワイヤを有する加熱手段に比べて長い。トリガー電子機器のような端子と接触点を、粘着性締結部品に一体に組み込むことができる。例えば、受信機を粘着性締結部品に一体に組み込み、その受信機によって制御信号を受信して加熱手段のスイッチをつけたり、消したりすることができる。
【００１６】
加熱手段は、粘着性締結部品の表面において、粘着性締結要素とは反対側に配置するのが好ましい。また、粘着性締結要素はキャリヤの２つの表面から突出させることができる。加熱手段を取り付けるために、粘着性締結要素を有する表面に部分的に粘着性締結要素を設けないようにすることもできる。このようにして、加熱手段および／又はその電気的接触は、粘着性締結部品への取り付け後は、如何なる場合においても、キャリヤによって保護される。
【００１７】
粘着性締結部品のキャリヤは、繊維製品、特に、織ること、編むこと、撚り合わせること又は刺繍によって製造される製品とすることができる。この場合、例えば、繊維製品の異なるプライの個々の糸、もしくは糸群、特に、縦糸および／又は横糸は接続用導線として製造することができ、例えば、接続用導線は導電性フィラメントによって形成することができ、接続用導線は導線性被覆を有してもよい。加熱手段は繊維のキャリヤの２プライの間に配置するのが好ましい。
【００１８】
本発明は、また、上記した加熱手段を備えた粘着性締結部品を製造するための方法に関する。その加熱手段は、粘着性締結要素をすでに有するキャリヤに取り付けられる。本発明の一実施形態において、加熱手段は、平らなキャリヤに対して、厚いフィルムまたは薄いフィルムとして取り付けられ、特に、印刷される。これは、特に、粘着性締結要素と平らなキャリヤが熱可塑的な成形によって１ピースにされるとき、好都合である。
【００１９】
加熱手段の電気的接触は、一定構造の格子形状の粘着性締結要素の各々またはグループの導電性に影響を及ぼすことによって可能である。粘着性締結部品のキャリヤに取り付けられる加熱手段の接着性は、表面処理によって、特に、表面近くのキャリヤ分子の極性を増加するガス雰囲気によって改善することができる。それに代えて、または、それに加えて、接着性を付与する被覆、例えば、キャリヤと異なるポリマーは、特にそれがポリアミドからなるとき、キャリヤに取り付けることができる。
【実施例】
【００２０】
本発明のさらなる利点、特徴および詳細は、従属形式請求項および以下の記載から明かであり、以下には、添付図面を参照しながら具体的な実施例が記載される。これに関して、請求の範囲および詳細な説明に記載した特徴は、個々に又は組み合わせることによって、本発明における本質的な要素を形成する。
【００２１】
図１は、本発明の粘着性締結部品１を備えた粘着性締結器具の断面図である。粘着性締結部品１は、縦横に規則正しく配置された複数の粘着性締結要素２を有している。粘着性締結要素２は、熱可塑的に成形することができるプラスチックの平らなキャリヤ３と一体で形成され、粘着性締結要素２はキャリヤ３の第一表面４から斜めに突出し、好ましくは直角に突出している。
【００２２】
キャリヤ３の第一表面４とは反対側の第二表面６上に加熱手段５がある。加熱手段５は、すでに粘着性締結要素２を有するキャリヤ３に対して厚いフィルム形成手段、特に、スクリーン印刷によって取り付けられ、加熱手段５は、絶縁層７とカバー層９に加えて、絶縁層７とカバー層９の間に位置し且つ長く伸びた抵抗路１０を必須とする体系化された加熱層８とを有している。
【００２３】
抵抗路１０の材料は、例えば、厚いフィルム形成手段によって知られている抵抗材料とすることができる。その材料のシート抵抗は、例えば、２Ω／□と１０００Ω／□の間の広い範囲とすることができる。主として温度に独立である電気抵抗を有する抵抗材料を使用することができる。また、一定電圧もしくは一定電流での動作中にサーモスタット機能を発揮する、限定的な正の抵抗温度係数または負の抵抗温度係数を有する抵抗材料を使用することができる。
【００２４】
層厚さは、１０μｍと１００μｍの間、特に、２０μｍと５０μｍの間とすることができる。用途に依存する単位面積当たりの熱の生成量は、例えば、１Ｗ／ｍ2から２０００Ｗ／ｍ2の間とすることができる。特に、自動車における個々の加熱システムまたは内部の加熱システムは、１００Ｗ／ｍ2から３００Ｗ／ｍ2の間とすることができる。用途に適した加熱は、層厚さ、抵抗路の幅および抵抗材料に関する抵抗路１０の形状およびデザインによって実行することができる。必要な接続用導線は、１Ω／□未満のシート抵抗、特に、０．２５Ω／□未満のシート抵抗を有し、例えば、銀エナメル、銅エナメル、炭素エナメルなどによって製造することができる。
【００２５】
粘着性締結要素２を含むキャリヤ３と加熱手段５の層の厚さの比率は、図に示す縮尺に限定されない。描写という目的のために、個々の層を大きく示すことができる。さらに、加熱手段５は、３層を超える層、特に保護層、湿気遮断層、または電気絶縁層を含むことができる。本発明の粘着性締結部品１は、図１に示すように、別の粘着性締結部品１３と結合することができる。粘着性締結部品１３はキャリヤ３とほとんど同じように構成することができる。特に、粘着性締結要素２、１４は、互いに取り外すことができるように噛み合わせることができるし、繊維の粘着性締結要素または衣類に結合することもできる。
【００２６】
図２は、図１の粘着性締結部品に類似する粘着性締結部品１の斜視図である。キャリヤ３の第二表面６に直接印刷された抵抗路１０が示されている。抵抗路１０は、抵抗路の幅と、隣接する抵抗路との距離の２つの長さが曲がりくねるように変化している。抵抗路１０との接触は、端子電極１５、１６によってすることができる。端子電極１５、１６は粘着性締結部品１の共通側面上において隣接している。
【００２７】
図３は、本発明の粘着性締結部品１０１の第二の実施例を示す。この実施例においては、粘着性締結要素１０２は加熱手段１０５と同じ表面に位置している。しかしながら、加熱手段１０５が存在するキャリヤ１０３の領域には、粘着性締結要素１０２は存在しない。絶縁層１０７に印刷される抵抗路１１０のための接続用導線１１５は同じ表面上にある突出端子１１８に至っている。
【００２８】
本発明の粘着性締結部品１０１に対面する別の粘着性締結部品１１３は、粘着性締結要素１１４と、接続用導線１２０に接続されている突出端子１１９とを有している。２つの粘着性締結部品１０１と１１３の粘着性締結要素１０２と１１４は、それらを互いに押圧することによって噛み合うことができ、同時に、２つの突出端子１１８と１１９は電気的に接触する。このようにして、抵抗路１１０との信頼性の高い接触は、接続用導線１２０を介してすることができる。
【００２９】
図４は、本発明の粘着性締結部品２０１の第三の実施例を示す。領域２２１に位置する粘着性締結要素２０２と同様に、好ましくは熱可塑性材料からなるキャリヤ２０３は、網目の陰影を施したように、熱可塑性材料に改良を施すことによって、例えば、導電粒子を挿入することによって導電性にされる。領域２２１において、キャリヤ２０３は第二表面２０６上に位置する加熱手段２０５と接触する。加熱手段２０５は、導電性粘着性締結要素２０２と電気的に接続されている導電性端子電極２２２を有する絶縁層２０７を備えている。絶縁層２０７は、対応する領域においても同様に、導電性粘着性締結要素２０２と電気的に接続されている導電性端子電極２２２を有している。このようにして、粘着性締結部品２０１と加熱手段２０５は、外部接触片２２３を介して、加熱手段２０５の反対側にあるキャリア２０３の背面と電気的に接触することができる。
【００３０】
抵抗層として加熱手段を実施することは、抵抗路２１０を体系化することによって押しボタン要素２１１を形成することを可能にする。この目的のために、例えば、抵抗路２１０の回路を遮断することができる。電気絶縁中間層２２５を挿入するとともに、導電性接触ブリッジ２１０ａをその上に設け、矢印２１２で示すように、下方に向けて力を及ぼすことによってカバー層２０９を変形させて導電性接触ブリッジ２１０ａによって通電が図られ、回路の遮断を終了することができる。加熱手段２０５および／又はキャリヤ２０３が弾性を有することによって、実際の使用例における接触動作をする押しボタン要素２１１の復帰を可能にする。
【００３１】
図５は、本発明の粘着性締結部品３０１の第四の実施例を示す。粘着性締結部品３０１は、加熱手段３０５の両側にキャリヤ３０３と３０３ａを有し、キャリヤ３０３と３０３ａは、加熱手段３０５から離れる方向に向かってそれぞれ粘着性締結要素３０２と３０２ａを有している。絶縁層３０７とカバー層３０９の間に、中間層３２５によって互いに電気的に絶縁されている２つの抵抗路３１０と３１０ａがある。抵抗路３１０と３１０ａの長手方向延長部は互いに斜めであり、特別な場合、直角である。２つの抵抗路３１０と３１０ａは、メッキによって又は外部的に互いに接続することができる。これによって直列または並列に電気的に接続することができる。
【００３２】
図６は、本発明の粘着性締結部品１の一適用例を示す。明確に示すという簡単な理由によって、キャリヤ３と加熱手段５を分離する線（図１参照）は示されていない。粘着性締結部品１は支持体２４上に粘着性締結要素２によって固定されている。支持体２４の表面は、例えば、織物のフリース材料によって形成されるか、又は別の粘着性締結部品１３が支持体２４の全表面にわたって固定されるか、又は支持体２４の表面の一部に別の粘着性締結部品１３が深絞り部として固定される。本発明の粘着性締結部品１は支持体２４の突出部の構造に関わらず、全側面にわたって一様に加熱される。本発明の粘着性締結部品１は粘着締結機能と加熱機能を維持しながら深絞り部として形成することができる。そこで、複雑な形状の支持体２４に対しても正確に取り付けることができる。
【図面の簡単な説明】
【００３３】
【図１】図１は、本発明の粘着性締結部品を備えた粘着性締結器具の断面図である。
【図２】図２は、図１の粘着性締結部品に類似する粘着性締結部品の斜視図である。
【図３】図３は、本発明の第二の実施例を示す。
【図４】図４は、本発明の第三の実施例を示す。
【図５】図５は、本発明の第四の実施例を示す。
【図６】図６は、本発明の粘着性締結部品の一適用例を示す。
【符号の説明】
【００３４】
１    粘着性締結部品
２    粘着性締結要素
３    キャリヤ
４    第一表面
５    加熱手段
６    第二表面
７    絶縁層
８    加熱層
９    カバー層
１０  抵抗路
１３  粘着性締結部品
１４  粘着性締結要素
１５  端子電極
１６  端子電極
２４  支持体
１０１  粘着性締結部品
１０２  粘着性締結要素
１０３  キャリヤ
１０５  加熱手段
１０７  絶縁層
１１０  抵抗路
１１３  粘着性締結部品
１１４  粘着性締結要素
１１５  接続用導線
１１８  突出端子
１１９  突出端子
１２０  接続用導線
２０１  粘着性締結部品
２０２  粘着性締結要素
２０３  キャリヤ
２０５  加熱手段
２０６  第二表面
２０７  絶縁層
２０９  カバー層
２１０  抵抗路
２１０ａ  導電性接触ブリッジ
２１１  押しボタン要素
２２２  端子電極
２２３  外部接触片
２２５  電気絶縁中間層
３０１  粘着性締結部品
３０２  粘着性締結要素
３０２ａ  粘着性締結要素
３０３  キャリヤ
３０３ａ  キャリヤ
３０５  加熱手段
３０７  絶縁層
３０９  カバー層
３１０  抵抗路
３１０ａ  抵抗路
３２５  中間層
【図１】
2007519442.tif 000003
【図２】
2007519442.tif 000004
【図３】
2007519442.tif 000005
【図４】
2007519442.tif 000006
【図５】
2007519442.tif 000007
【図６】
2007519442.tif 000008
【国際調査報告】
2007519442.tif 000009
2007519442.tif 000010
2007519442.tif 000011
2007519442.tif 000012
2007519442.tif 000013
2007519442.tif 000014